(57)【要約】      （修正有）【課題】小型化することができ、かつ、演色性を高めることができるＬＥＤ電球を提供する。【解決手段】ＬＥＤ電球１０は、ＬＥＤユニット１１に口金接続部１２を介して口金１３が配設されている。ＬＥＤユニットは、第１色を発光する少なくとも１つの第１色ＬＥＤ１１Ａが実装された側面基板１１Ｂと、この側面基板の一方の端部に、第１色と異なる第２色を発光する少なくとも１つの第２色ＬＥＤ１１Ｃが実装された天井基板１１Ｄとを有している。第２色ＬＥＤの発光色は、第１色ＬＥＤの発光色よりも、色温度が低いことが好ましい。【選択図】図１
0003196567.tif 000002
【実用新案登録請求の範囲】
【請求項１】
ＬＥＤユニットに口金接続部を介して口金が配設されたＬＥＤ電球であって、
前記ＬＥＤユニットは、第１色を発光する少なくとも１つの第１色ＬＥＤが実装された側面基板と、この側面基板の一方の端部に配設され、第１色と異なる第２色を発光する少なくとも１つの第２色ＬＥＤが実装された天井基板とを有し、
前記側面基板の他方の端部側に口金接続部が配設された
ことを特徴とするＬＥＤ電球。
【請求項２】
前記第２色ＬＥＤの発光色は、前記第１色ＬＥＤの発光色よりも、色温度が低いことを特徴とする請求項１記載のＬＥＤ電球。
【請求項３】
前記第１色ＬＥＤの発光色は白色であり、前記第２色ＬＥＤの発光色は電球色であることを特徴とする請求項１又は請求項２記載のＬＥＤ電球。
【請求項４】
前記ＬＥＤユニットは、錐台状又は柱状であることを特徴とする請求項１から請求項３のいずれか１に記載のＬＥＤ電球。
【請求項５】
前記ＬＥＤユニット及び前記口金接続部の内部に点灯回路を備えたことを特徴とする請求項１から請求項４のいずれか１に記載のＬＥＤ電球。
【考案の詳細な説明】
【技術分野】
【０００１】
本考案は、ＬＥＤを光源に使用したＬＥＤ電球に関するものである。
【背景技術】
【０００２】
近年、ＬＥＤの発光効率の向上に伴い、白熱電球や電球型蛍光ランプの代替品としてＬＥＤを光源とした電球型のＬＥＤ電球が知られている。このようなＬＥＤ電球としては、例えば、ＬＥＤを有する平面状基板を配設すると共に、外郭部の内部に、絶縁部材を介してＬＥＤ点灯用の点灯回路を収容した構成が知られている（例えば、特許文献１参照）。
【０００３】
また、ＬＥＤは、温度が上昇するに従い、光出力が低下し、寿命も短くなることが知られている。そのため、発熱を抑制することが求められており、その解決手段としては、例えば、外郭部材を金属材料にしてＬＥＤの発熱を熱伝導により周部に放熱する方法が一般的である。
【先行技術文献】
【特許文献】
【０００４】
【特許文献１】特開２００６−３１３７１７号公報（第５頁から第６頁、図２）
【考案の概要】
【考案が解決しようとする課題】
【０００５】
しかしながら、特許文献１に記載のＬＥＤの場合、ＬＥＤを実装した光源用基板と、ＬＥＤ点灯用の点灯回路基板とを別個に設けているので、それぞれのスペースが必要となると共に、外郭部のＬＥＤの放熱対策構造を必要とするため、小型化が容易にできないという問題があった。
【０００６】
更に、外郭部にＬＥＤの放熱対策構造を設けているＬＥＤ電球の場合、ＬＥＤ電球自体が発熱しなくとも、周辺温度が３６℃以上になりうる環境、例えば、断熱材施工照明器具ＳＢ形、ＳＧＩ形、ＳＧ形等のいわゆるダウンライト照明器具に用いると、外郭部を介してＬＥＤに周辺の熱が伝達されてしまい、ＬＥＤの性能及び寿命が低下してしまうという問題があった。
【０００７】
また、一般に、ＬＥＤ電球は演色性が低く、顔色が悪く見えたり、料理が美味しそうに見えないという問題もあった。
【０００８】
本考案は、このような問題に基づきなされたものであり、小型化することができ、かつ、演色性を高めることができるＬＥＤ電球を提供することを目的とする。
【課題を解決するための手段】
【０００９】
本考案のＬＥＤ電球は、ＬＥＤユニットに口金接続部を介して口金が配設されたものであって、ＬＥＤユニットは、第１色を発光する少なくとも１つの第１色ＬＥＤが実装された側面基板と、この側面基板の一方の端部に配設され、第１色と異なる第２色を発光する少なくとも１つの第２色ＬＥＤが実装された天井基板とを有し、側面基板の他方の端部側に口金接続部が配設されたものである。
【考案の効果】
【００１０】
本考案のＬＥＤ電球によれば、第１色ＬＥＤが実装された側面基板の一方の端部に第２色ＬＥＤが実装された天井基板を配設し、側面基板の他方の端部側に口金接続部を配設するようにしたので、ＬＥＤユニット及び口金接続部の内部に点灯回路を収納することができ、小型化することができる。また、側面基板に実装された第１色ＬＥＤと、天井基板に実装された第２色ＬＥＤの発光色を異ならせるようにしたので、色温度の異なるものを組み合わせることにより、演色性を高めることができる。
【００１１】
特に、第２色ＬＥＤの発光色を第１色ＬＥＤの発光色よりも色温度を低く、例えば、第１色ＬＥＤの発光色を白色、第２色ＬＥＤの発光色を電球色とするようにすれば、側面基板の第１色ＬＥＤにより空間全体を明るく照らし、天井基板の第２色ＬＥＤにより赤みを加えることができ、演色性を高めることができる。
【図面の簡単な説明】
【００１２】
【図１】本考案の一実施の形態に係るＬＥＤ電球の外観構成を表す図である。
【図２】図１に示したＬＥＤ電球の内部構造を表す部分断面図である。
【考案を実施するための形態】
【００１３】
以下、本考案の実施の形態について図面を参照して詳細に説明する。
【００１４】
図１は、本実施の形態に係るＬＥＤ電球１０の外観構成を表すものであり、（Ａ）は横から見た構成を表し、（Ｂ）は上から見た構成を表している。図２は、図１に示したＬＥＤ電球１０の内部構造を表すものである。
【００１５】
このＬＥＤ電球１０は、例えば、ミニクリプトンランプ型であり、天井に埋め込んで取り付けるダウンライト照明器具等に用いることができるものである。このＬＥＤ電球１０は、例えば、ＬＥＤユニット１１に口金接続部１２を介して口金１３が配設されている。ＬＥＤユニット１１は、第１色を発光する少なくとも１つの第１色ＬＥＤ１１Ａが実装された側面基板１１Ｂと、この側面基板１１Ｂの一方の端部に配設され、第１色と異なる第２色を発光する少なくとも１つの第２色ＬＥＤ１１Ｃが実装された天井基板１１Ｄとを有している。
【００１６】
第１色ＬＥＤ１１Ａと第２色ＬＥＤ１１Ｃとは、例えば、発光色の色温度が異なっており、第１色ＬＥＤ１１Ａの発光色よりも、第２色ＬＥＤ１１Ｃの発光色の色温度が低くなるように構成されていることが好ましい。具体的には、例えば、第１色ＬＥＤの発光色は白色、第２色ＬＥＤの発光色は電球色が好ましい。側面基板１１Ｂの第１色ＬＥＤ１１Ａにより空間全体を明るく照らし、天井基板１１Ｄの第２色ＬＥＤ１１Ｃにより赤みを加えることにより、演色性を高めることができるからである。また、天井基板１１Ｄの第２色ＬＥＤ１１Ｃの色温度を低くすることにより、紫外線焼けを抑制することができると共に、生鮮品の傷みを抑制することができるからである。
【００１７】
ＬＥＤユニット１１は、例えば、錐台状又は柱状であることが好ましく、錐台状であればより好ましい。より高い効果を得ることができるからである。側面基板１１Ｂの天井基板１１Ｄに対する角度θは、例えば、４０度から９０度程度が好ましい。なお、図１，２では、ＬＥＤユニット１１を円錐台状に構成する場合について示したが、角錐台状としてもよい。また、柱状とする場合には、円柱状でも角柱状でもよい。更に、図１では、側面基板１１Ｂに８個の第１色ＬＥＤ１１Ａを実装し、天井基板１１Ｄに４個の第２色ＬＥＤ１１Ｃを実装する場合について示したが、それぞれ１個以上であればいくつでもよい。
【００１８】
口金接続部１２及び口金１３は、側面基板１１Ｂの他方の端部側、すなわちＬＥＤユニット１１の他方の端部側に配設されている。口金１３は、通常は、例えば、Ｅ１７と称されるねじ込みタイプが用いられるが、一般照明用電球が装着されるソケットに取り付け可能であれば、これに限定されない。
【００１９】
ＬＥＤユニット１１及び口金接続部１２の内部は中空状であり、ＬＥＤユニット１１の他方の端部側には、例えば、電源基板１４が配設されている。ＬＥＤユニット１１及び口金接続部１２の内部には、例えば、点灯回路１５が配設され、口金１３を介して電源から給電されるようになっている。点灯回路１５は、例えば、回路部品１５Ａ、ダイオードブリッジ１５Ｂ、コンデンサ１５Ｃ、及び限流素子１５Ｄを有している。口金１３から供給される商用交流電源は、点灯回路１５に搭載されたダイオードブリッジ１５Ｂ、コンデンサ１５Ｃ、及び限流素子１５Ｄによって整流平滑された定電圧、定電流で第１色ＬＥＤ１１Ａ，第２色ＬＥＤ１１Ｃの点灯を行う。
【００２０】
なお、限流素子１５Ｄというのは、例えば、抵抗素子あるいは定電流ダイオードにより構成され、第１色ＬＥＤ１１Ａ，第２色ＬＥＤ１１Ｃに供給する電流値を制限するものである。この限流素子１５Ｄを用いた点灯回路１５により、第１色ＬＥＤ１１Ａ，第２色ＬＥＤ１１Ｃには、自己発熱を抑制する電流値で給電されるように構成されている。
【００２１】
ＬＥＤユニット１１の外側は、例えば、透光性カバー１６により覆われている。なお、図１（Ａ）では透光性カバー１６を破線で表し、図１（Ｂ）では表示を省略している。透光性カバー１６は、例えば、口金接続部１２の嵌合部１２Ａに開口端が嵌合されることにより配設されている。透光性カバー１６及び口金接続部１２は、例えば、ポリカーボネートにより構成することが好ましい。金属材料に比べて熱を伝達しにくいので、外の熱が第１色ＬＥＤ１１Ａ，第２色ＬＥＤ１１Ｃに伝わりにくく、これらの近傍温度が上昇することを抑制することができると共に、透光性及び難燃性を兼ね備えているからである。なお、これらの条件を満たすかそれ以上の材料があればそれを用いることも可能である。
【００２２】
このように本実施の形態によれば、第１色ＬＥＤ１１Ａが実装された側面基板１１Ｂの一方の端部に第２色ＬＥＤ１１Ｃが実装された天井基板１１Ｄを配設し、側面基板１１Ｂの他方の端部側に口金接続部１２を配設するようにしたので、ＬＥＤユニット１１及び口金接続部１２の内部に点灯回路１５を収納することができ、小型化することができる。また、側面基板１１Ｂに実装された第１色ＬＥＤ１１Ａと、天井基板１１Ｄに実装された第２色ＬＥＤ１１Ｃの発光色を異ならせるようにしたので、色温度の異なるものを組み合わせることにより、演色性を高めることができる。
【００２３】
特に、第２色ＬＥＤ１１Ｃの発光色を第１色ＬＥＤ１１Ａの発光色よりも色温度を低く、例えば、第１色ＬＥＤ１１Ａの発光色を白色、第２色ＬＥＤ１１Ｃの発光色を電球色とするようにすれば、側面基板１１Ｂの第１色ＬＥＤ１１Ａにより空間全体を明るく照らし、天井基板１１Ｄの第２色ＬＥＤ１１Ｃにより赤みを加えることができ、演色性を高めることができる。
【００２４】
以上、実施の形態を挙げて本考案を説明したが、本考案は上記実施の形態に限定されるものではなく、種々変形可能である。例えば、上記実施の形態では、ミニクリプトンランプ型の場合について説明したが、他の形の電球についても適用することができる。また、ダウンライト照明器具以外の他の照明器具にも用いることができる。
【産業上の利用可能性】
【００２５】
照明器具用の電球として用いることができる。
【符号の説明】
【００２６】
１０…ＬＥＤ電球、１１…ＬＥＤユニット、１１Ａ…第１色ＬＥＤ、１１Ｂ…側面基板、１１Ｃ…第２色ＬＥＤ、１１Ｄ…天井基板、１２…口金接続部、１２Ａ…嵌合部、１３…口金、１４…電源基板、１５…点灯回路、１５Ａ…回路部品、１５Ｂ…ダイオードブリッジ、１５Ｃ…コンデンサ、１５Ｄ…限流素子、１６…透光性カバー
【図１】
0003196567.tif 000003
【図２】
0003196567.tif 000004